(57)【要約】【課題】  包装袋の開口保持位置である中間位置を包装袋の種類に応じて適切な位置に容易に変更することができると共に、吸盤による吸着が外れて、開口保持用ヘラが包装袋内に挿入不能になることもなく、開口状態をより確実に保持して被包装物を安定して充填できる袋開口装置およびそれを備えた包装機を提供する。【解決手段】本発明の袋開口装置１は、包装袋ａの両側面側に対向して配された吸盤２ａ，２ｂと、吸盤２ａ，２ｂを包装袋ａに対してそれぞれ離間した待機位置Ｘと包装袋ａの開口保持位置である中間位置Ｙと包装袋ａの両側面を吸着するための最接近位置Ｚとの間で移動させる位置制御モータ３と、位置制御モータ３の回転を制御する制御部を有し、制御部は包装袋ａの種類に応じて予め設定された中間位置Ｙにて吸盤２ａ，２ｂが停止するよう位置制御モータ３を制御する。【選択図】図２
2015182770.tif 000002
【特許請求の範囲】
【請求項１】
被包装物を充填する包装袋の両側面側に対向してそれぞれ配された一対の吸盤と、
該一対の吸盤を、包装袋に対してそれぞれ離間した待機位置と包装袋の開口保持位置である中間位置と包装袋の両側面をそれぞれ吸着するための最接近位置との間で移動させる位置制御モータと、
該位置制御モータの回転を制御するための制御部を有し、
該制御部は、包装袋の種類に応じて予め設定された前記中間位置にて前記一対の吸盤が停止するように前記位置制御モータの回転量を制御することを特徴とする袋開口装置。
【請求項２】
前記袋開口装置は、前記中間位置において前記一対の吸盤にて開口された包装袋の開口状態を保持するための開口保持用ヘラと、該開口保持用ヘラによる開口保持の有無を検知する検知手段とを有し、前記制御部は、前記検知手段による開口保持有りとの信号に基づいて前記開口保持用ヘラにより開口保持された前記包装袋を被包装物充填工程へ移行させるよう制御する請求項１に記載の袋開口装置。
【請求項３】
グリップ対を備えた移動体を複数のステーションに間欠停止して移動させ、前記グリップ対により支持された包装袋内に被包装物を充填して袋口を施封する包装機であって、
該包装機は、袋を開口するための袋開口工程を行う袋開口ステーションに袋開口装置が設けられ、
該袋開口装置は、被包装物を充填する包装袋の両側面側に対向してそれぞれ配された一対の吸盤と、該一対の吸盤を、包装袋に対してそれぞれ離間した待機位置と包装袋の開口保持位置である中間位置と包装袋の両側面をそれぞれ吸着するための最接近位置との間で移動させる位置制御モータと、該位置制御モータの回転を制御するための制御部を有し、該制御部は、包装袋の種類に応じて予め設定された前記中間位置にて前記一対の吸盤が停止するように前記位置制御モータの回転量を制御することを特徴とする包装機。
【請求項４】
前記包装機は、前記中間位置において前記一対の吸盤にて開口された包装袋の開口状態を保持するための開口保持用ヘラと、該開口保持用ヘラによる開口保持の有無を検知する検知手段とを有し、前記制御部は、前記検知手段による開口保持有りとの信号に基づいて前記開口保持用ヘラにより開口保持された前記包装袋を被包装物充填工程へ移行させるよう制御する請求項３に記載の包装機。
【発明の詳細な説明】
【技術分野】
【０００１】
本発明は、袋を開口するための袋開口装置およびそれを備えた包装機に関するものである。
【背景技術】
【０００２】
従来より、包装機の袋開口工程において、包装袋の両側面側からそれぞれ吸盤によって吸引して袋口を開口させた後、一対の開口保持用ヘラにより開口保持することが行われている。具体的には、包装袋の両側面側に対向して配された一対の吸盤を包装袋に対して最離間位置（待機位置）と最接近位置との間で移動させ、最接近位置にて吸着した包装袋を中間位置まで移動させ開口させた状態で停止させた後、一対の開口保持用ヘラを包装袋内に挿入して開口保持することが行われている。
【０００３】
しかし、従来の袋開口装置はカム機構を採用して最離間位置（待機位置）と最接近位置との間の吸盤の往復動を行っている（特開平１１−１３９４１３号公報）ため、袋の種類（袋幅等のサイズ、材質または形態等）にかかわらず、上記中間位置が一定であり、小さい袋の場合、中間位置が待機位置側に寄りすぎて吸盤による吸着が外れてしまうことがあり、開口の安定性に欠けるものであった。また、開口の不安定性に伴って開口保持用ヘラを挿入できないことがあった。さらに、袋のサイズ、材質または形態に応じて中間位置を変更する場合は、カム機構を変更し調整しなければならず、生産効率性が悪くなると共にその調整も困難であった。
【先行技術文献】
【特許文献】
【０００４】
【特許文献１】特開平１１−１３９４１３号公報
【発明の概要】
【発明が解決しようとする課題】
【０００５】
そこで、本発明の課題は、包装袋の開口保持位置である中間位置を包装袋に応じて適切な位置に容易に変更することができると共に、吸盤による吸着が外れてしまうことおよび開口保持用ヘラが包装袋内に挿入不能になることもなく、開口状態をより確実に保持して被包装物を安定して充填できる袋開口装置およびそれを備えた包装機を提供することにある。
【課題を解決するための手段】
【０００６】
上記課題を達成するものは、被包装物を充填する包装袋の両側面側に対向してそれぞれ配された一対の吸盤と、該一対の吸盤を、包装袋に対してそれぞれ離間した待機位置と包装袋の開口保持位置である中間位置と包装袋の両側面をそれぞれ吸着するための最接近位置との間で移動させる位置制御モータと、該位置制御モータの回転を制御するための制御部を有し、該制御部は、包装袋の種類に応じて予め設定された前記中間位置にて前記一対の吸盤が停止するように前記位置制御モータの回転量を制御することを特徴とする袋開口装置である。
【０００７】
前記袋開口装置は、前記中間位置において前記一対の吸盤にて開口された包装袋の開口状態を保持するための開口保持用ヘラと、該開口保持用ヘラによる開口保持の有無を検知する検知手段とを有し、前記制御部は、前記検知手段による開口保持有りとの信号に基づいて前記開口保持用ヘラにより開口保持された前記包装袋を被包装物充填工程へ移行させるよう制御するものであることが好ましい。
【０００８】
また、上記課題を解決するものは、グリップ対を備えた移動体を複数のステーションに間欠停止して移動させ、前記グリップ対により支持された包装袋内に被包装物を充填して袋口を施封する包装機であって、該包装機は、袋を開口するための袋開口工程を行う袋開口ステーションに袋開口装置が設けられ、該袋開口装置は、被包装物を充填する包装袋の両側面側に対向してそれぞれ配された一対の吸盤と、該一対の吸盤を、包装袋に対してそれぞれ離間した待機位置と包装袋の開口保持位置である中間位置と包装袋の両側面をそれぞれ吸着するための最接近位置との間で移動させる位置制御モータと、該位置制御モータの回転を制御するための制御部を有し、該制御部は包装袋の種類に応じて予め設定された前記中間位置にて前記一対の吸盤が停止するように前記位置制御モータの回転量を制御することを特徴とする包装機である。
【０００９】
前記包装機は、前記中間位置において前記一対の吸盤にて開口された包装袋の開口状態を保持するための開口保持用ヘラと、該開口保持用ヘラによる開口保持の有無を検知する検知手段とを有し、前記制御部は、前記検知手段による開口保持有りとの信号に基づいて前記開口保持用ヘラにより開口保持された前記包装袋を被包装物充填工程へ移行させるよう制御するものであることが好ましい。
【発明の効果】
【００１０】
請求項１に記載の袋開口装置によれば、包装袋の開口保持位置である中間位置を包装袋の種類に応じて適切な位置に容易に変更することができると共に、吸盤による吸着が外れてしまうことおよび開口保持用ヘラが包装袋内に挿入不能になることもなく、開口状態をより確実に保持して被包装物を安定して充填できる。
請求項２に記載の袋開口装置によれば、上記請求項１の効果に加え、包装袋の開口状態を確認できると共に、開口保持用ヘラが包装袋内に侵入しかつ開口して被包装物を充填可能であるとの判定の下、被包装物を充填するため、被包装物充填の確実性をより高めることができる。
請求項３に記載の包装機によれば、包装袋の開口保持位置である中間位置を包装袋の種類に応じて適切な位置に容易に変更することができると共に、吸盤による吸着が外れてしまうことおよび開口保持用ヘラが包装袋内に挿入不能になることもなく、開口状態をより確実に保持して被包装物を安定して充填できる。
請求項４に記載の包装機によれば、上記請求項３の効果に加え、包装袋の開口状態を確認できると共に、開口保持用ヘラが包装袋内に侵入しかつ開口して被包装物を充填可能であるとの判定の下、被包装物を充填するため、被包装物充填の確実性をより高めることができる。
【図面の簡単な説明】
【００１１】
【図１】本発明の袋開口装置を備えた包装機の一実施例の平面概略図である。
【図２】図１に示した包装機における袋開口装置の吸盤の動作を説明するための説明図である。
【図３】図２に示した吸盤機構を内側（包装機側）の吸盤機構と外側の吸盤機構に分解して説明するための分解説明図である。
【図４】図２に示した吸盤機構の側面概略図である。
【図５】図１に示した包装機における袋開口工程および充填工程の作用を説明するための工程説明図である。
【図６】図１に示した包装機における各部の作用を説明するためのタイムチャートである。
【図７】図１に示した包装機のグリップ対の作用を説明すると共に、待機位置と中間位置と最接近位置を説明するための平面図である。
【発明を実施するための形態】
【００１２】
本発明では、一対の吸盤２ａ，２ｂを、包装袋ａに対してそれぞれ離間した待機位置Ｘと包装袋ａの開口保持位置である中間位置Ｙと包装袋ａの両側面をそれぞれ吸着するための最接近位置Ｚとの間で移動させる位置制御モータ３と、位置制御モータ３の回転を制御するための制御部を有し、制御部が包装袋ａの種類に応じて予め設定された中間位置Ｙにて一対の吸盤２ａ，２ｂが停止するよう位置制御モータ３の回転量を制御するため、包装袋の種類に応じて適切な中間位置に一対の吸盤２ａ，２ｂを停止させることができ、吸着状態が外れてしまうことがなく、開口状態をより確実に保持して被包装物を安定して充填することができる袋開口装置およびそれを備えた包装機を実現した。
【実施例１】
【００１３】
本発明の袋開口装置を備えた包装機を図１ないし図７に示した一実施例を用いて説明する。
この実施例の包装機Ｐは、図１、図２または図７に示すように、グリップ対ｇを備えた移動体１０を複数のステーションに間欠停止して移動させ、グリップ対ｇにより垂直姿勢に支持された包装袋ａ内に被包装物を充填して袋口を施封する包装機であって、包装機Ｐは、袋を開口するための袋開口工程を行う袋開口ステーション１１に袋開口装置１が設けられ、袋開口装置１は、被包装物を充填する包装袋ａの両側面側に対向してそれぞれ配された一対の吸盤２ａ，２ｂと、一対の吸盤２ａ，２ｂを、包装袋ａに対してそれぞれ離間した待機位置Ｘと包装袋ａの開口保持位置である中間位置Ｙと包装袋ａの両側面をそれぞれ吸着するための最接近位置Ｚとの間で移動させる位置制御モータ３と、位置制御モータ３の回転を制御するための制御部を有し、制御部は包装袋ａの種類に応じて予め設定された中間位置Ｙにて一対の吸盤２ａ，２ｂが停止するように位置制御モータ３の回転量を制御することを特徴とする包装機である。以下、各構成について順次詳述する。
【００１４】
包装機Ｐは、包装袋ａの袋口を開口して被包装物を充填し施封する装置であり、図１に示すように、それぞれのステーションにおいて、包装袋ａを包装機に供給する給袋工程（１）、チャック付き包装袋のチャック開きを行うと共に印字を行うチャック開き・印字工程（２）、印字検査を行うと共にバーコード認証を行う印字検査・バーコード認証工程（３）、包装袋の袋口を開口する袋開口工程（４）、被包装物を包装袋内に充填する充填工程（５）、被包装物に振動を与える振動工程（６）および（７）、被包装物の押し込み・吹き飛ばし工程（８）、袋口付近を水平方向にシールすると共に、包装袋内のエア抜きを行うトップシール・エア抜き工程（９）、トップシールが冷却されると共に、被包装物が包装された包装袋ａを機外に排出するシール冷却および製品排出工程（１０）の１０工程を行う装置である。
【００１５】
なお、この実施例はロータリー方式の包装機Ｐであるが、本発明を公知の直線移動方式の包装機に適用することも可能である。
【００１６】
この包装機Ｐでは、図１に示すように、縦方向に延在する間欠回転軸１２を回転自由に支持するスタンドを機台上に設け、その間欠回転軸１２の上部に取り付けられた移動体（円盤状回転体）１０には、包装袋ａを掴着又は釈放するための１０個のグリップ対ｇが間欠回転軸１２を中心として等角度間隔で放射方向に突出するように設けられている。そして、包装機Ｐは、給袋工程（１）において、給袋装置１３によって包装袋ａの袋取りが行われ、給袋ステーションへ順次間欠移動してくるグリップ対ｇに包装袋ａが垂直姿勢で吊り下げ状に支持されるよう構成されている。
【００１７】
袋開口工程（４）を行う袋開口ステーション１１には、図１に示すように、袋開口装置１が設けられ、この袋開口装置１は、図２に示すように、被包装物を充填する包装袋ａの両側面側に対向してそれぞれ配された一対の吸盤２ａ，２ｂを有している。これら一対の吸盤２ａ，２ｂは、真空源である吸引装置（図示しない）と連通しており、包装袋ａを両側面側から吸引して包装袋ａの袋口を開口させる。
【００１８】
具体的には、一対の吸盤２ａ，２ｂは、図７に示すように、包装袋ａに対してそれぞれ離間した待機位置Ｘと、包装袋ａの開口保持位置である中間位置Ｙと、包装袋ａの両側面をそれぞれ吸着するための最接近位置Ｚとの間で移動するように構成されている。なお、図７（ａ）は、大きい包装袋の場合であり、この場合、包装袋ａの袋口は大きく開口することができるため、その分、中間位置Ｙは、待機位置Ｘ側の位置に予め設定される。他方、図７（ｂ）は、小さい包装袋の場合であり、この場合、包装袋ａの袋口を比較的小さく開口させることが必要となるため、中間位置Ｙは、最接近位置Ｚ側の位置に予め設定される。なお、グリップ対ｇは、図７に示すように、袋口の開口に際して、一対の吸盤２ａ，２ｂによる吸引に伴って内側（包装袋側）に移動して間隔を狭めることで包装袋ａの開口を補助するように構成されている。
【００１９】
一対の吸盤２ａ，２ｂを待機位置Ｘと中間位置Ｙと最接近位置Ｚとの間で自在に移動させる吸盤機構（吸盤の往復動機構）４は、図２に示すように、位置制御モータ３と、位置制御モータ３の回動軸５に連接された連結ロッド６と、連結ロッド６の一端に連接されたリンク機構７と、リンク機構７に取り付けられた一対の吸盤２ａ，２ｂとから構成されている。位置制御モータとして、サーボモータ、ステッピングモータ、ブラシレスモータなどが好適に使用できるが、この実施例では、サーボモータが使用されている。
【００２０】
具体的には、内側の吸盤２ａを移動させる場合、図３に示すように、位置制御モータ３の回動軸５を回動（３６０°内の回転運動または１８０°内の往復運動）させると、連結ロッド６の他端６ａが図３中略左右方向に移動する。
【００２１】
すなわち、連結ロッド６の他端６ａが図３中最も右側に位置する時は、連結ロッド６の他端６ａに上端が連接された駆動レバー４ａは、図４に示した回転支点４ｂを中心として回転し、駆動レバー４ａの下端は図３中最も左側（包装機側）に移動し、これに伴って吸盤２ａが待機位置Ｘに位置するように構成されている。
【００２２】
他方、連結ロッド６の他端６ａが図３中最も左側に位置する時は、連結ロッド６の他端６ａに上端が連接された駆動レバー４ａは、図４に示した回転支点４ｂを中心として回転し、駆動レバー４ａの下端は図３中最も右側に移動し、これに伴って吸盤２ａが最接近位置Ｚに位置するように構成されている。
【００２３】
さらに、連結ロッド６の他端６ａが上記の中間に位置する時は、連結ロッド６の他端６ａに上端が連接された駆動レバー４ａは、図４に示した回転支点４ｂを中心として回転し、駆動レバー４ａの下端は上記の中間に移動し、これに伴って吸盤２ａを中間位置Ｙに位置させることができるように構成されている。
【００２４】
外側の吸盤２ｂも、回転支点４ｂに回転可能に取り付けられた従動レバー４ｃおよび従動側連結リンク４ｄを介して連結ロッド６の動作に連動するように構成されている。なお、図３または図４中、４ｅ，４ｆは固定プレート、４ｇは吸盤２ａ，２ｂとリンク機構７とをそれぞれ連結するための連結ホルダーである。
【００２５】
そして、連結ロッド６の他端６ａが図３中最も右側に位置する時は、従動レバー４ｃは、図４に示した回転支点４ｂを中心として回転し、従動レバー４ｃの下端は図３中最も右側に移動し、これに伴って吸盤２ｂが待機位置Ｘに位置するように構成されている。
【００２６】
他方、連結ロッド６の他端６ａが図３中最も左側に位置する時は、従動レバー４ｃは、図４に示した回転支点４ｂを中心として回転し、従動レバー４ｃの下端は図３中最も左側（包装機側）に移動し、これに伴って吸盤２ｂが最接近位置Ｚに位置するように構成されている。
【００２７】
さらに、連結ロッド６の他端６ａが上記の中間に位置する時は、従動レバー４ｃは、図４に示した回転支点４ｂを中心として回転し、従動レバー４ｃの下端は上記の中間に移動し、これに伴って吸盤２ｂを中間位置Ｙに位置させることができるように構成されている。
【００２８】
そして、制御部は、上記吸盤機構４により、包装袋ａの種類に応じて予め設定された中間位置Ｙにて一対の吸盤２ａ，２ｂが停止するよう位置制御モータ３の回転量を制御することができるように構成されている。これにより、包装袋の種類に応じて適切な中間位置に一対の吸盤２ａ，２ｂを停止させることができ、開口状態をより確実に保持して被包装物を安定して充填することができる。
【００２９】
具体的には、制御部は、印字検査・バーコード認証工程（３）において、包装袋ａのバーコードに示されている予め設定された中間位置Ｙを認識し、袋開口工程（４）において、位置制御モータ３の回転量を制御して、その包装袋の中間位置Ｙとして設定された位置に一対の吸盤２ａ，２ｂをそれぞれ移動させた後、停止させる。
【００３０】
なお、この実施例では、制御部は、印字検査・バーコード認証工程（３）において、包装袋ａの種類に応じて予め設定された中間位置Ｙをバーコードの情報から認識するように構成されているが、制御部が包装袋ａの種類に応じて予め設定された中間位置Ｙを認識する方法は他の方法によるものでもよく、例えば、包装袋の種類毎に制御部内に予めアイテム登録がされており、入力装置を介してアイテム（特定の包装袋）を指定することにより、制御部が中間位置Ｙを認識するように構成してもよい。
【００３１】
また、包装機Ｐは、図２に示すように、中間位置Ｙにおいて一対の吸盤２ａ，２ｂにて開口された包装袋ａの開口状態を保持するための開閉可能な一対の開口保持用ヘラ８ａ，８ｂと、一対の開口保持用ヘラ８ａ，８ｂによる開口保持の有無を検知する検知手段９を有し、制御部は、検知手段９による開口保持有りとの信号に基づいて被包装物充填工程へ移行させるよう制御するように構成されている。これにより、包装袋の開口状態を確認できると共に、開口保持用ヘラ８ａ，８ｂが包装袋ａ内に侵入しかつ開口して被包装物ａを充填可能であるとの判定の下、被包装物を充填するため、被包装物充填の確実性をより高めることができる。
【００３２】
一対の開口保持用ヘラ８ａ，８ｂは、図２に示すように、包装袋ａ内に侵入するための昇降機構１４（駆動手段は図示しない）に取り付けられており、上下動可能に構成されている。また、一対の開口保持用ヘラ８ａ，８ｂは、閉じた状態（図５（ｂ）の状態）で包装袋ａ内に侵入した後、包装袋ａの開口状態を保持するために開いた状態（図５（ｃ）の状態）を保持するための開閉機構１５に取り付けられており、開閉機構１５は、駆動手段（図示しない）により上下動可能に設けられた昇降部１５ａと、昇降部１５ａの上下動に伴って回動支点１５ｂを軸として開口保持用ヘラ８ａ，８をそれぞれ開閉する開閉部１５ｃと、開閉部１５ｃの上端部同士を付勢する弾性部材１５ｄとを有し、昇降部１５ａの上下動に伴って一対の開口保持用ヘラ８ａ，８ｂが開閉可能に構成されている。
【００３３】
つぎに、本発明の包装機Ｐの袋開口工程（４）および充填工程（５）における特徴的作用について図５または図６を用いて説明する。
グリップ対ｇに垂直姿勢で保持された包装袋ａが、袋開口工程（４）が行われる袋開口ステーション１１へ間欠移動してくると、図５（ａ）に示すように、制御部による位置制御モータ３の回転制御により吸盤２ａ，２ｂが待機位置Ｘから最接近位置Ｚへ移動する。図６ではｔ１で最接近位置Ｚへ吸盤２ａ，２ｂがそれぞれ移動する。その後、電磁弁（ＳＶ）がＯＮ状態となり吸引が開始される。この状態では、グリップ対ｇは張り状態が維持されていると共に、開口補助エア吹き込み部１６はｔ１より若干前にＯＮ状態となって袋口からエア吹き込み可能状態となっている。
【００３４】
つぎに、図５（ｂ）に示すように、制御部は、図６中、ｔ２から、吸盤２ａ，２ｂにて包装袋ａの両側面をそれぞれ吸引した状態（電磁弁（ＳＶ）ＯＮ状態）で、包装袋ａの種類（袋幅等）に応じて予め設定された中間位置Ｙへ向かって一対の吸盤２ａ，２ｂを移動させる。そして、位置制御モータ３の回転量を制御することで、中間位置Ｙに一対の吸盤２ａ，２ｂをそれぞれ停止させる。一対の吸盤２ａ，２ｂを中間位置Ｙへ移動させる間はグリップ対ｇは緩み状態となって袋口の開口に追随してグリップ対ｇの間隔は収縮可能の状態となっている。また、袋口から開口補助エア吹き込み部１６によってエアが吹き込まれて開口補助されていると共に、開口保持用ヘラ８ａ，８ｂが降下して袋口から侵入する。なお、一対の吸盤２ａ，２ｂの中間位置Ｙは、図６中、ｔ３の時点における位置であり、一般に大袋ほど待機位置Ｘ側に位置し、小袋ほど最接近位置Ｚ側に位置する（図７参照）。
【００３５】
さらに、図５（ｃ）に示すように、位置制御モータ３の回転により吸盤２ａ，２ｂがそれぞれ待機位置Ｘに戻ると共に、袋口から開口補助エア吹き込み部１６によってエアが吹き込まれて開口補助されつつ、一対の開口保持用ヘラ８ａ，８ｂは、包装袋ａの開口状態を保持するため開いた状態（図５（ｃ）の状態）となる。
【００３６】
上記状態（一対の開口保持用ヘラ８ａ，８ｂによる開口保持状態）を検知手段９が検知すると、制御部は充填工程（５）へ移行させるよう制御する。具体的には、充填工程が行われる充填ステーションに一対の開口保持用ヘラ８ａ，８ｂにより包装袋ａの開口状態を保持した状態で間欠移動させ、図５（ｄ）に示すように、充填物挿入ジョウゴ１７の下方に位置させる。
【００３７】
その後、図５（ｅ）に示すように、充填物挿入ジョウゴ１７が降下して袋口から侵入すると共に、一対の開口保持用ヘラ８ａ，８ｂが上昇して包装袋ａの開口状態の保持が解除されて充填物挿入ジョウゴ１７を介して被包装物が包装袋ａ内に充填されるように構成されている。
【００３８】
上記のように、本発明の包装機Ｐでは、制御部が包装袋ａの種類に応じて予め設定された中間位置Ｙにて一対の吸盤２ａ，２ｂが停止するよう位置制御モータ３の回転量を制御するため、包装袋の種類に応じて適切な中間位置に一対の吸盤２ａ，２ｂを停止させることができ、開口状態をより確実に保持して被包装物を安定して充填することができる。また、包装機Ｐは、中間位置Ｙにおいて一対の吸盤２ａ，２ｂにて開口された包装袋ａの開口状態を保持するための開閉可能な一対の開口保持用ヘラ８ａ，８ｂと、一対の開口保持用ヘラ８ａ，８ｂによる開口保持の有無を検知する検知手段９を有し、制御部は、検知手段９による開口保持有りとの信号に基づいて被包装物充填工程へ移行させるよう制御するように構成されているため、包装袋の開口状態を確認できると共に、開口保持用ヘラ８ａ，８ｂが包装袋ａ内に侵入しかつ開口して被包装物ａを充填可能であるとの判定の下、被包装物を充填するため、被包装物充填の確実性をより高めることができる。
【符号の説明】
【００３９】
Ｐ          包装機
１          袋開口装置
２ａ，２ｂ  吸盤
３          位置制御モータ
４          吸盤機構
５          回動軸
６          連結ロッド
７          リンク機構
８ａ，８ｂ  開口保持用ヘラ
９          検知手段
１０        移動体  
１１        袋開口ステーション
１２        間欠回転軸
１３        給袋装置
１４        昇降機構
１５        開閉機構
１６        開口補助エア吹き込み部
１７        充填物挿入ジョウゴ
ａ          包装袋
ｇ          グリップ対
【図１】
2015182770.tif 000003
【図２】
2015182770.tif 000004
【図３】
2015182770.tif 000005
【図４】
2015182770.tif 000006
【図５】
2015182770.tif 000007
【図６】
2015182770.tif 000008
【図７】
2015182770.tif 000009